(57)【要約】      （修正有）【課題】レンチキュラースクリーンのレンズピッチと、レンチキュラー画像のピッチを調整し、スキューを把握する作業の時間短縮をした画像形成装置を提供する。【解決手段】黒単色、白単色のチェンジ画像用のテストパターン画像γを生成する。単位パターン画像αをレンズ幅方向に連鎖させてラインパターン画像βを構成する。複数のラインパターン画像βをレンズ溝方向に連鎖させて第１のテストパターン画像γを構成する。各ラインパターン画像βのレンズ幅方向の倍率を、レンズ溝方向のラインパターン画像β毎に所定の大きさずつ変更する。テストパターン画像γをレンチキュラースクリーンに印刷する。レンチキュラースクリーンを目視またはスキャンし、モアレを見る。モアレの少ないラインパターン画像βの倍率を採用する。倍率を合わせたラインパターン画像を第２のテストパターン画像とする。モアレの幅からスキュー量を判定する。【選択図】図９
2014134758.tif 000002
【特許請求の範囲】
【請求項１】
レンチキュラーレンズをレンズ幅方向に複数配列したレンチキュラースクリーンと該レンチキュラースクリーン上に印刷されるレンチキュラー画像とのスキュー量を算出するためのテストパターン画像を形成する画像形成方法であって、
レンチキュラーレンズのレンズ幅内で隣り合う視覚的に互いに異なる複数の圧縮画像から構成される単位パターン画像をレンズ幅方向に連鎖させてラインパターン画像とし、該ラインパターン画像を前記テストパターン画像として前記レンチキュラースクリーン上に形成するようにしたことを特徴とする画像形成方法。
【請求項２】
前記テストパターン画像は、前記レンチキュラースクリーンと該レンチキュラースクリーン上に印刷される前記レンチキュラー画像との倍率誤差及びスキュー量を算出するためのテストパターン画像であって、さらに、前記ラインパターン画像のレンズ幅方向の倍率をレンズ溝方向のラインパターン画像毎に所定の大きさずつ変更した複数のラインパターン画像の集合からなることを特徴とする請求項１に記載の画像形成方法。
【請求項３】
前記ラインパターン画像は、前記複数の圧縮画像のレンズ幅方向のピッチが前記レンチキュラースクリーンにおけるレンズピッチに合うラインパターン画像であることを特徴とする請求項１に記載の画像形成方法。
【請求項４】
前記ラインパターン画像を印刷対象画像の外縁部に配置することを特徴とする請求項１乃至３のいずれか一項に記載の画像形成方法。
【請求項５】
前記ラインパターン画像は、前記圧縮画像が白、黒２色の圧縮画像からなるラインパターン画像であることを特徴とする請求項１乃至４のいずれか一項に記載の画像形成方法。
【請求項６】
請求項１、３乃至５のいずれか一項に記載の画像形成方法によって前記テストパターン画像として前記レンチキュラースクリーン上に形成する画像形成装置であって、
前記ラインパターン画像を生成する画像生成手段と、
前記ラインパターン画像を前記レンチキュラースクリーン上に形成する画像形成手段とを備えたことを特徴とする画像形成装置。
【請求項７】
請求項２に記載の画像形成方法によって前記テストパターン画像として前記レンチキュラースクリーン上に形成する画像形成装置であって、
前記ラインパターン画像を生成する画像生成手段と、
前記ラインパターン画像を前記レンチキュラースクリーン上に形成する画像形成手段とを備えたことを特徴とする画像形成装置。
【請求項８】
請求項７に記載の画像形成装置であって、
印刷解像度、レンチキュラースクリーンにおけるレンチキュラーレンズの線数、原画像の画像サイズのいずれか一つの項目に応じて、前記テストパターン画像のサイズ、倍率変更する前記ラインパターン画像の個数、前記レンチキュラー画像を構成する圧縮画像のサイズ、倍率変更の増分値のいずれか一つの項目を変更可能にする変更手段、を備えることを特徴とする画像形成装置。
【請求項９】
請求項７に記載の画像形成装置であって、
前記テストパターン画像が形成された前記レンチキュラースクリーンに光を照射し、反射された光を基に読み取りデータを出力するスキャナ手段を具備し、
読み取りデータ内のテストパターン画像に該当するそれぞれのラインパターン画像において、最もモアレの少ないラインパターン画像を識別し、該ラインパターン画像の識別結果に基づいて倍率変更値を算出する倍率誤差算出手段を具備することを特徴とする画像形成装置。
【請求項１０】
請求項９に記載の画像形成装置であって、
前記テストパターン画像は、黒単色と白単色の圧縮画像で構成され、
前記倍率誤差算出手段は、
倍率を変更した複数のラインパターン画像を生成した時に、ラインパターン画像の位置と倍率変更値のテーブルを記録する記録手段と、
前記スキャナ手段の読み取りデータ内のテストパターン画像に該当するそれぞれのラインパターン画像において、最も濃度の高いあるいは低いラインパターン画像を識別し、該識別したラインパターン画像の位置を算出する識別手段と、
前記識別手段によって算出されたラインパターン画像の位置に基づき、前記記録手段のテーブルを参照し、該当する倍率変更値を算出する倍率変更値算出手段と、
を具備することを特徴とする画像形成装置。
【請求項１１】
請求項６に記載の画像形成装置であって、
前記テストパターン画像が形成された前記レンチキュラースクリーンに光を照射し、反射された光を基に読み取りデータを出力するスキャナ手段を具備し、
読み取りデータ内の所定の複数箇所のパターン画像におけるレンズ溝方向のモアレ幅を算出するモアレ幅算出手段と、
該モアレ幅算出手段によって算出されたモアレ幅に基づきスキュー量を算出するスキュー量算出手段を具備することを特徴とする画像形成装置。
【請求項１２】
請求項１１に記載の画像形成装置であって、
前記スキュー算出手段は、スキュー量をＳ[mm]、レンズ幅をＸ[LPI]、レンズ溝方向モアレ幅をａ[mm]としたとき、次式（１）によってスキュー量Ｓを算出することを特徴とする画像形成装置。
ＳＳ＝２５．４＊Ｌ／Ｘ／２／ａ…（１）
【請求項１３】
請求項１２に記載の画像形成装置であって、
次式（２）が成り立つとき、スキューなしの判定を行うものであることを特徴とする画像形成装置。
Ｓ＝２５．４／Ｘ／２…（２）
【請求項１４】
請求項６乃至１３のいずれか一項に記載の画像形成装置であって、
前記ラインパターン画像を形成する前記レンチキュラースクリーンのレンズ幅方向を、画像形成時の主走査方向とすることを特徴とする画像形成装置。
【発明の詳細な説明】
【技術分野】
【０００１】
本発明は、レンチキュラースクリーンを介して観察できる複数の圧縮画像を形成するための画像形成方法及び画像形成装置に関する。
【背景技術】
【０００２】
近年、複数のレンチキュラーレンズからなるレンチキュラースクリーンを用いた立体写真が普及している。これは、紙又は樹脂シートなどの記録媒体上に形成された複数の圧縮画像を、レンチキュラースクリーンを介して観察することによって、３Ｄ画像として画像を立体的に見ることができ、又は見る角度によってチェンジ画像として異なる画像を見ることができるようにしたものである。コンピュータによって画像データとして作製しておき、その画像データに基づいて、印刷装置で用紙などの記録媒体に印刷する方法がしばしば採用されている。観察に使用するレンチキュラーレンズの幅、寸法（ピッチ）及び圧縮画像の個数などに応じて、圧縮画像のサイズが決定される。
【０００３】
上記画像を形成する画像形成装置の一つとして、いわゆる電子写真方式のタンデム型の画像形成装置が既に知られている。これは、複数の画像形成部を備え、各画像形成部においてそれぞれ異なる色（イエロー（Ｙ）、マゼンタ（Ｍ）、シアン（Ｃ）、ブラック（Ｂ）等）のトナー像を感光体ドラム等の像担持体に形成する。各感光体ドラムに形成されたトナー像を、一定速度で搬送される中間転写ベルトや記録媒体に重ねて転写することで、カラー画像を形成する。
【０００４】
立体写真が鮮明な画像として綺麗に見えるためには、レンチキュラーレンズのピッチと記録媒体に形成される圧縮画像のピッチとを正確に合わせておく必要がある。ところが、レンチキュラーレンズは、通常プラスチックを用いた型成形によって作製されるので、設計上のレンチキュラーレンズのレンズピッチと実際の製品のレンズピッチとの間に誤差が生じる。そのため、記録媒体に形成された圧縮画像の上にレンチキュラースクリーンを載せた際に、レンチキュラーレンズと圧縮画像とがすれることがある。ある部分においては正確に合うが、他のある部分においてはずれが生じることがある。従って、従来においては、形成される圧縮画像のピッチとレンチキュラーレンズのレンズピッチとが各部において正確に一致せず、立体写真が綺麗に見えないという問題があった。
【０００５】
このような問題に対して、レンチキュラーレンズの幅寸法を計測するものがある（特許文献１）。これは、幅寸の計測値を取得し、計測値と基準値とを比較する。レンチキュラーレンズの下に形成される圧縮画像の配置、数、又は寸法を可変する。これにより、各レンチキュラーレンズについてそれぞれのレンチキュラーレンズの下に形成される圧縮画像の幅寸法を当該レンチキュラーレンズの計測値に一致させる。その他にレンズピッチを計測する手段として、スキャナを用いるものもある（特許文献２）。これは、レンズをスキャナ手段によってスキャンし、スキャンした読み取りデータから、レンズピッチを算出するというものである。
【０００６】
しかし、上記画像形成装置の場合、感光体ドラムへの露光を行う各種光学部品等の取り付け部のずれや装置全体の歪みなどがあるため、記録媒体に形成される圧縮画像のピッチが基準値と一致しているとは限らない。よって、レンチキュラースクリーンのレンズピッチと圧縮画像のピッチが一致しない可能性があるという問題があった。
【０００７】
このような問題に対して、印刷装置によって、隣り合う圧縮画像が視覚的に異なる複数の圧縮画像を記録媒体上に予備形成し、レンチキュラーレンズを載せてモアレを観察するものがある。そして、観察されたモアレの状態に応じて、印刷装置における露光ユニットの露光速度あるいは記録媒体の副走査方向の送り速度を調整することで、モアレを少なくするものがある（特許文献３）。しかし、この特許文献３の段落［００３７］にも記載があるように、調整が１回で済む場合もあるが、複数回行う可能性もあり、調整作業が煩雑であるという問題があった。
【０００８】
さらに、レンチキュラースクリーンのレンズピッチと圧縮画像のピッチとが一致していたとしても、レンチキュラースクリーン上に形成された圧縮画像とレンチキュラーレンズとの間にスキュー（傾斜）が生じている場合、部分的に立体写真がきれいに見えないという問題があった。このような問題に対しては、レンチキュラーレンズのスキュー量を把握することが重要である。
【発明の概要】
【発明が解決しようとする課題】
【０００９】
本発明は、レンチキュラースクリーンのレンズピッチとレンチキュラースクリーンに印刷するレンチキュラー画像のピッチを調整し、また、スキューを把握する作業の時間短縮を狙いとした画像形成方法及び画像成装置を提供することを目的とする。
【課題を解決するための手段】
【００１０】
請求項１の画像形成方法は、レンチキュラーレンズをレンズ幅方向に複数配列したレンチキュラースクリーンと該レンチキュラースクリーン上に印刷されるレンチキュラー画像とのスキュー量を算出するためのテストパターン画像を形成する画像形成方法であって、レンチキュラーレンズのレンズ幅内で隣り合う視覚的に互いに異なる複数の圧縮画像から構成される単位パターン画像をレンズ幅方向に連鎖させてラインパターン画像とし、該ラインパターン画像を前記テストパターン画像として前記レンチキュラースクリーン上に形成するようにしたことを特徴とする。
【００１１】
また、請求項６または７の画像形成装置は、請求項１乃至５のいずれか一項に記載の画像形成方法によって前記テストパターン画像として前記レンチキュラースクリーン上に形成する画像形成装置であって、前記ラインパターン画像を生成する画像生成手段と、前記ラインパターン画像を前記レンチキュラースクリーン上に形成する画像形成手段とを備えたことを特徴とする。
【発明の効果】
【００１２】
請求項１の画像形成方法、請求項６または７の画像形成装置によれば、レンチキュラースクリーン上にテストパターン画像を形成することによって、印刷画像のスキューの有無、倍率誤差の有無を容易に判別できる。
【図面の簡単な説明】
【００１３】
【図１】本発明の一実施形態におけるレンチキュラースクリーンの一例を示す図である。
【図２】実施形態における原画像の撮影状態を示す図である。
【図３】実施形態における原画像とレンチキュラー画像の関係を示す図である。
【図４】実施形態におけるレンチキュラーレンズのレンズピッチと印刷画像のピッチに誤差を含む場合におけるレンチキュラー画像の見え方を示す図である。
【図５】実施形態における黒単色、白単色の２つの画像をチェンジさせるチェンジ画像の一例を示す図である。
【図６】実施形態におけるチェンジ画像のピッチ誤差がない場合の見え方を示す図である。
【図７】実施形態におけるチェンジ画像のピッチ誤差がある場合の見え方を示す図である。
【図８】実施形態における実際に印刷した画像をスキャンした例を模式的に示す図である。
【図９】実施形態における第１のテストパターン画像の一例を示す図である。
【図１０】実施形態における第１のテストパターン画像をレンチキュラースクリーンに印刷してスキャンした画像の一例を示す図である。
【図１１】実施例１における画像形成装置の全体構成を示す図である。
【図１２】実施例１における制御部の処理に係るフローチャートである。
【図１３】実施例２における画像形成装置の全体構成を示す図である。
【図１４】実施例２における制御部の処理に係る第１のフローチャートである。
【図１５】実施例２における制御部の処理に係る第２のフローチャートである。
【図１６】実施例３における電子写真方式のタンデム型の画像形成装置及びレンチキュラーレンズのレンズ搬送方向を示す模式図である。
【図１７】実施例３におけるレンズ幅方向を副走査方向としたときの不具合を説明する図である。
【図１８】実施形態のレンズと圧縮画像との間にスキューが生じている場合におけるレンチキュラー画像の見え方を示す図である。
【図１９】実施形態における第２のテストパターン画像の生成の過程を説明する図である。
【図２０】実施形態におけるスキューがほぼ発生していない場合の画像の一例を示す図である。
【図２１】実施形態におけるスキューが発生している場合の画像の一例を示す図である。
【図２２】実施例５における画像形成装置の全体構成を示す図である。
【図２３】実施例５における制御部３２の処理に係るフローチャートである。
【図２４】実施形態におけるスキューの発生を判定する際のモアレ判別領域を示す図である。
【発明を実施するための形態】
【００１４】
以下、本発明の一実施形態である画像形成装置について、図１〜図２４を参照して説明する。
【００１５】
まず、レンチキュラースクリーン１について説明する。レンチキュラースクリーン１は、図１に示すように、シートの一方の側に、蒲鉾型レンズであるレンチキュラーレンズ１１を所定のレンズピッチＬｐで複数配列されている。レンチキュラーレンズ１１は、所定のレンズ半径Ｒを持つレンズ部とレンズ部の裏面にほぼ平面な平板部とを有している。そして、レンチキュラースクリーン１は所定の厚さＴを持つ透明な樹脂製構造物である。レンチキュラーレンズ１１のレンズ幅はレンズピッチＬｐである。
【００１６】
レンチキュラースクリーン１のサイズは、レンチキュラーレンズ１１のレンズ幅Ｌｐ方向がＬｏであり、レンチキュラーレンズ１１の長さ方向（レンズ幅Ｌｐ方向と直角な方向）の幅がＷｏである。各レンチキュラーレンズ１１は、平板部に配置され、蒲鉾型のレンズ部に対応した短冊状の画像群を変換する。そして、レンズ部側から見て正像に見えるように左右逆画像に変換した画像のパターンが平板部に印刷される。蒲鉾型のレンズ部側より見る角度を変えるもしくはレンチキュラーレンズ１１の傾きを変えることにより、各種の立体視画像や動画が得られる。
【００１７】
一例として、図２に示すように、ある被写体を４方向から撮影した撮像画像「１」／「２」／「３」／「４」を４つの原画像とし、この原画像から各レンチキュラーレンズ１１に対応した圧縮画像を作成する場合を考える。図２に示すように、「１」／「２」／「３」／「４」という４枚の原画像を合成した圧縮画像（以下、「レンチキュラー画像」ともいう。）を作成すると仮定する。この場合、図３に示すように、各原画像のレンチキュラーレンズ１１の幅方向に対応する横幅を１／４に圧縮する。それを、レンズピッチＬｐに合わせて「１」／「２」／「３」／「４」、「１」／「２」／「３」／「４」．．．というように並べ替える処理を行い、各レンチキュラーレンズ１１に対応する圧縮画像（レンチキュラー画像）を形成する。
【００１８】
このレンチキュラー画像をレンチキュラースクリーン１を介して見ると、ある位置からは、「１」が横方向に引き伸ばされて見え、視点をかえると「２」が見え、さらに視点を変えると「３」、さらに「４」が見える。ここで、「１」／「２」／「３」／「４」をそれぞれ全く異なる画像を用いれば、チェンジ画像となるが、ある被写体を異なる角度の４方向から見た画像とすると立体視画像となる。図２に示すように、右方向から順番に撮影されたものを「１」／「２」／「３」／「４」として上記の処理を行った場合は以下のようになる。レンチキュラースクリーン１を通して正面から両目で見ると、左目には「３」の画像、右目には「２」の画像というようにステレオペアの画像が見えるので、立体に見えるようになる。右方向から見た場合は、左目には「４」の画像、右目には「３」の画像のステレオペアの画像が見えるので、同様に立体に見える。左方向から見た場合も同様である。
【００１９】
このレンチキュラー画像をレンチキュラースクリーン１に印刷する場合、例えば、Ｌｐ＝１５０[LPI]のレンズピッチで、６００[dpi]のプリンタ解像度と仮定する。この場合、４枚の画像をそれぞれ１／４に圧縮し、縦１ドットラインずつ並べれば、ちょうど印刷結果とレンズピッチＬｐが合うようになる。
【００２０】
次にレンチキュラーレンズ１１とレンチキュラー画像（圧縮画像）のピッチ誤差について説明する。上記の方法でレンチキュラー画像を作成し、印刷すれば、レンチキュラースクリーン１のレンズ部側から観察した際に、立体視画像が得られる。しかし、実際には、レンチキュラーレンズ１１と印刷されたレンチキュラー画像のピッチに誤差があるため、局所的な立体視画像しか得られない。
【００２１】
図４は、レンチキュラーレンズ１１のレンズピッチと印刷画像（レンチキュラー画像）のピッチに誤差を含む場合におけるレンチキュラー画像の見え方を示す図である。ある箇所では、右目に「２」の画像、左目に「３」の画像が見えており、これは正常なステレオペアの画像であるので、正常な立体視となる。ただし、ピッチ誤差が累積された別の箇所では、右目に「４」の画像、左目に「１」の画像が見えており、これは通常では起こりえないペアの画像であり、不自然な立体視（逆立体視）となる。このように、レンチキュラーレンズ１１と印刷されたレンチキュラー画像のピッチに誤差を含む場合、立体視画像やチェンジ画像の印刷像の品質を著しく低下させる。このため、レンチキュラーレンズ１１のレンズピッチＬｐと印刷画像のピッチをできるだけ合わせる必要がある。
【００２２】
図５は黒単色、白単色の２つの画像をチェンジさせるチェンジ画像の一例を示す図である。図５に示すように、隣り合う圧縮画像が視覚的に異なる複数の圧縮画像の一例として、黒単色、白単色の２つの画像をチェンジさせるチェンジ画像を考える。ピッチ誤差がない場合、図６に示すように、視点［１］からは黒単色、視点［２］からは白単色の画像が見えるが、ピッチ誤差がある場合、図７に示すように視点［１］、視点［２］では黒単色と白単色のモアレが見えてしまう。
【００２３】
図８は、実際に印刷した画像をスキャンした例を模式的に示す図である。モアレの間隔は、レンチキュラースクリーン１とレンチキュラー画像とのピッチ誤差が大きいほど短くなるので、それを目安として調整作業を行えば、ピッチを合わせることができる。ただし、レンチキュラースクリーン１に対して印刷画像の倍率が大きい場合でも、小さい場合でも同じ倍率誤差であれば同じモアレ間隔となる。このため、図８のモアレ画像を見て、レンチキュラースクリーン１に対してレンチキュラー画像（印刷画像）の倍率が大きいのか、小さいのかは不明である。よって、調整用の印刷が１回で済む可能性は極めて低く、調整作業は煩雑となる。
【００２４】
図９は本発明の一実施形態における第１のテストパターン画像γの一例を示す図である。図５で示した黒単色、白単色のチェンジ画像用の第１のテストパターン画像γについて説明する。図９に符号αで示す破線で囲った部分の画像が一つの「単位パターン画像」である。また、符号βで示す一点鎖線で囲った部分の画像が一つの「ラインパターン画像」である。ラインパターン画像βは単位パターン画像αをレンズ幅方向に連鎖させたものである。第１のテストパターン画像γは、各ラインパターン画像β，β，…をレンズ溝方向に連鎖させて構成されている。各ラインパターン画像βは、レンズ幅方向の倍率が異なっている。すなわち、第１のテストパターン画像γは、このラインパターン画像βのレンズ幅方向の倍率をレンズ溝方向のラインパターン画像β毎に所定の大きさずつ変更した複数のラインパターン画像β，β，…から構成されている。
【００２５】
例えば、ラインパターン画像［Ａ］に対して、レンチキュラーレンズ１１のレンズ溝方向（長さ方向）に所定の増分ずつ微小に倍率を変化させたラインパターン画像βを複数個生成する。この複数のラインパターン画像βの集合体として一つの第１のテストパターン画像γとする。ここでは、レンズピッチ１００[LPI]、プリンタ解像度１２００[dpi]、倍率を変化させる増分値を０．０４％としている。
【００２６】
図１０は図９の第１のテストパターン画像γをレンチキュラースクリーン１に印刷してスキャンした画像の一例を示す図である。図１０より、レンズピッチ１００[LPI]、プリンタ解像度１２００[dpi]として作成したラインパターン画像βであるラインパターン画像［Ａ］を０．０４％拡大した画像において、最もモアレが小さくなっていることがわかる。よって、実際に立体視画像またはチェンジ画像を印刷する際に、レンズピッチ１００[LPI]、プリンタ解像度１２００[dpi]のレンチキュラー画像をレンズ幅方向に０．０４％拡大して印刷する。これによって、レンチキュラーレンズ１１のレンズピッチとレンチキュラー画像（印刷画像）のピッチが合うため、鮮明な立体視効果またはチェンジ効果を得ることができる。
【００２７】
図１０の例では、レンズピッチ１００[LPI]のパターン画像が真中に来るように、倍率変更したラインパターン画像βの集合を形成したが、実際のレンズピッチに近いと予想される倍率に変更したラインパターン画像βが真中に来るようにすれば良い。倍率変更の増分値に関しても、一例として０．０４％としたが、実際のレンズピッチが不明の場合等は大きめの値にしても良く、例えば０．１％程度にしても良い。印刷面にモアレがほぼないパターン画像が現れるように適宜増分値を調整すれば良い。
【００２８】
倍率変更した複数のラインパターン画像βからなる第１のテストパターン画像γについては、ユーザーあるいはサービスマンがコンピュータ上で作成してもよい。そして、コンピュータから作成した第１のテストパターン画像γの印刷ジョブを流してレンチキュラーレンズ１に印刷すれば良い。印刷済み第１のテストパターン画像γについては、図１０に示したように、目視で最もモアレの少ないラインパターン画像βを探し、該当する倍率変更値を算出すれば良い。なお、第１のテストパターン画像γは黒単色、白単色のチェンジ画像に限らず、目視でモアレの有無を確認できるものであれば何でも良い。
【００２９】
上述のように、人がコンピュータ上で作成しても良いが、煩雑な場合は、あらかじめ黒単色、白単色のチェンジ画像を単位パターン画像αとしてプリンタのメモリに保存しておいてもよい。そして、インターフェースを介して入力される、レンズピッチ（線数）、プリンタ解像度（印刷解像度）、ラインパターン画像の個数、画像サイズ、倍率変更増分値の各項目に応じて、倍率変更した複数のラインパターン画像が生成されるようにしておけば良い。次に、その場合の構成、及び処理の流れを図１１、図１２に示す。
【００３０】
（実施例１）図１１は、実施例１における画像形成装置の全体構成を示す図である。画像形成装置２はインターフェース２ａを介してコンピュータ１０と接続されており、プリンタ機能部２１及び制御部２２を備えている。プリンタ機能部２１はプリンタＡＳＩＣと、いわゆる電子写真方式のタンデム型の画像形成部で構成されている。プリンタＡＳＩＣは、プリンタ機能部２１の機能を司る部分であり、制御部２２のＲＡＭの印刷データ領域に記憶される印刷データに基づいて、画像形成部内の各種モータ等を駆動する。そして、記録媒体としてのレンチキュラースクリーン１を搬送し、トナー像を転写、定着し、排出する。このプリンタ機能部２１は「画像形成手段」の一例である。また、レンチキュラースクリーン１に印刷された第１のテストパターン画像γが請求項２の「テストパターン画像」の一例である。
【００３１】
制御部２２のＲＯＭには、白単色の画像、黒単色の画像及びパターン画像生成プログラムが記憶されている。制御部２２には、コンピュータ１０からインターフェース２ａを介してレンズピッチ（線数）、プリンタ解像度（印刷解像度）、ラインパターン画像の個数、画像サイズ、倍率変更増分値の各項目のデータが入力される。この各項目のデータの入力を受け付けて項目を変更可能とする制御部２２が「変更手段」の一例である。制御部２２は、入力されたレンズピッチ、プリンタ解像度、画像サイズ、倍率変更増分値に基づいて、黒単色と白単色のラインパターン画像βの生成及び所定の増分ずつ倍率変更した複数のラインパターン画像βからなる第１のテストパターン画像γを生成する。この制御部２２は「テストパターン画像生成手段」の一例である。
【００３２】
図１２は、実施例１における制御部２２の処理に係るフローチャートである。ステップＳ１でレンチキュラー画像印刷モードが選択されたか判定する。レンチキュラー画像印刷モードでなければ、ステップＳ２で通常印刷処理を行って終了する。レンチキュラー画像印刷モードが選択されると、ステップＳ３で各種パラメータの入力を受け付け、ここで、レンズピッチ（線数）、プリンタ解像度（印刷解像度）、ラインパターン画像の個数、画像サイズ、倍率変更増分値の各項目のデータを入力する。これにより、ステップＳ４で上述の第１のテストパターン画像γが生成され、ステップＳ５で、予めセットしたレンチキュラースクリーン１に第１のテストパターン画像γが印刷される。
【００３３】
印刷済み第１のテストパターン画像γの中で最もモアレの少ないものを目視で探し、該当する倍率変更値を算出すれば良い。フローチャートには記載していないが、予めユーザーが作成した立体視画像またはチェンジ画像を、算出した倍率変更値に従って倍率変更し、印刷ジョブを流すと、鮮明な立体視効果またはチェンジ効果を得ることができる。また、ユーザーあるいはサービスマンが、算出された倍率変更値を画像形成装置２のインターフェース２ａを介して入力、設定しても良い。その後、印刷対象の立体視画像またはチェンジ画像の印刷ジョブを流すと、画像形成装置２側で倍率変更を行い、立体視画像またはチェンジ画像を印刷するようにしてもよい。実施例１では、電子写真方式のタンデム型の画像形成部を用いる例を示したが、インクジェット等他の画像形成部でも効果を発揮するものである。
【００３４】
（実施例２）実施例１では、目視で最もモアレの少ないラインパターン画像βを探し、該当する倍率変更値を算出していたが、図１０に示したスキャン画像から自動で該当する倍率変更値を算出するようにしても良い。図１３は実施例２における画像形成装置の全体構成を示す図である。画像形成装置３はインターフェース３ａを介してコンピュータ１０と接続されており、プリンタ機能部３１、制御部３２及び「スキャナ手段」としてのスキャナ機能部３３を備えている。プリンタ機能部３１はプリンタＡＳＩＣと、いわゆる電子写真方式のタンデム型の画像形成部で構成されている。プリンタＡＳＩＣは、プリンタ機能部３１の機能を司る部分であり、制御部３２のＲＡＭの印刷データ領域に記憶される印刷データに基づいて、画像形成部内の各種モータ等を駆動する。そして、記録媒体としてのレンチキュラースクリーン１を搬送し、トナー像を転写、定着し、排出する。このプリンタ機能部３１は「画像形成手段」の一例である。また、レンチキュラースクリーン１に印刷された第１のテストパターン画像γが請求項２の「テストパターン画像」の一例である。
【００３５】
制御部３２のＲＯＭには、白単色の画像、黒単色の画像、パターン画像生成プログラム、倍率変更値算出プログラム、及び、画像位置−倍率変更値テーブルが記憶されている。制御部３２には、コンピュータ１０からインターフェース３ａを介してレンズピッチ（線数）、プリンタ解像度（印刷解像度）、ラインパターン画像の個数、画像サイズ、倍率変更増分値の各項目のデータが入力される。この各項目のデータの入力を受け付けて項目を変更可能とする制御部３２が「変更手段」の一例である。制御部３２は、入力されたレンズピッチ、プリンタ解像度、画像サイズ、倍率変更増分値に基づいて、黒単色と白単色のラインパターン画像βの生成及び所定の増分ずつ倍率変更した複数のラインパターン画像βからなる第１のテストパターン画像γを生成する。この制御部３２は「テストパターン画像生成手段」の一例である。
【００３６】
図１４は、実施例２における制御部３２の処理に係る第１のフローチャートである。ステップＳ１１でレンチキュラー画像印刷モードが選択されたか判定する。レンチキュラー画像印刷モードでなければ、ステップＳ１２で通常印刷処理を行って終了する。レンチキュラー画像印刷モードが選択されると、ステップＳ１３で各種パラメータの入力を受け付け、ここで、レンズピッチ（線数）、プリンタ解像度（印刷解像度）、ラインパターン画像の個数、画像サイズ、倍率変更増分値の各項目のデータを入力する。これにより、ステップＳ１４で上述の第１のテストパターン画像γが生成される。第１のテストパターン画像γを生成すると、ステップＳ１５で、ラインパターン画像βの画像位置と、その画像位置の倍率変更値との対応を示す画像位置−倍率変更値テーブルを生成し、制御部３２の「記憶媒体」としてのＲＯＭ内に保持しておく。そして、ステップＳ１６、予めセットしたレンチキュラースクリーン１に第１のテストパターン画像γが印刷される。
【００３７】
図１５は、実施例２における制御部３２の処理に係る第２のフローチャートである。レンチキュラースクリーン１への第１のテストパターン画像γの印刷後、ステップＳ２１で、倍率変更算出モードが選択されたか判定する。倍率変更算出モードでなければ、ステップＳ２２でスキャナ機能部３３による通常スキャン処理を行って終了する。例えばユーザーあるいはサービスマンにより倍率変更算出モードが選択されると、ステップＳ２３で、通常スキャン処理を行う。スキャン処理は、レンチキュラースクリーン１に光を照射し、その反射された光をセンサで読み取る。そして読み取ったデータを出力する。これにより、第１のテストパターン画像γを印刷したレンチキュラースクリーン１に対してスキャナ機能部３３によるスキャンが実行され、読み取ったデータを画像データ化する。
【００３８】
次に、ステップＳ２４〜Ｓ２６で以下の処理を行う。倍率変更値算出プログラムに従って、スキャンした画像データを、ある閾値に基づき黒単色、白単色の２階調の画素データ処理（２値化処理）をする。各ラインパターン画像β毎にそのエリア内の画素値を合計し、最大、最小画素値となるラインパターン画像βを抽出する。最大、最小画素値となるラインパターン画像βについて、黒単色あるいは白単色とみなせるかの判別処理を行う。なお、印刷したラインパターン画像は、たとえピッチ誤差がなくても、トナー散乱等により、理想的な黒単色、白単色になることはほぼない。したがって、画素値の合計が、ある範囲に収まれば、黒単色あるいは白単色と判定し、理想的な黒単色あるいは白単色に近い方のラインパターン画像βを抽出する。
【００３９】
次に、ステップＳ２７で、抽出したラインパターン画像βの位置を算出し、画像位置−倍率変更値のテーブルを参照して、該当する倍率変更値を算出する。なお、最大、最小画素値のラインパターン画像が、共に、所定の範囲内に収まっていない場合は、設定した倍率変更値の範囲外の倍率に変更する必要がある。また、レンズピッチ（線数）、プリンタ解像度（印刷解像度）の入力ミスの可能性もある。その場合は、ステップＳ２８で、やり直しを促すメッセージを表示し、レンズピッチ（線数）、プリンタ解像度（印刷解像度）、画像サイズ、倍率変更増分値を適切な値に変更した上で、第１のテストパターン画像γを印刷するようにする。倍率変更値算出後は、実施例１と同様である。
【００４０】
以上のように制御部３２が処理を実行することにより、最もモアレの少ないラインパターン画像を識別し、該ラインパターン画像の識別結果に基づいて倍率変更値を算出する「倍率誤差算出手段」が実現される。また、「倍率誤差算出手段」には、ラインパターン画像の位置と倍率変更値のテーブルを記録する「記録手段」（ＲＯＭ）が含まれる。また、「倍率誤差算出手段」には、それぞれのラインパターン画像において最も濃度の高いあるいは低いラインパターン画像を識別し、該識別したラインパターン画像の位置を算出する「識別手段」が含まれる。また、「倍率誤差算出手段」には、識別手段によって算出されたラインパターン画像の位置に基づき、記録手段のテーブルを参照し、該当する倍率変更値を算出する「倍率変更値算出手段」が含まれる。
【００４１】
（実施例３）実施例３は、レンズ幅方向を画像形成時の主走査方向として、レンズと印刷画像の倍率調整を行い、立体視画像またはチェンジ画像を印刷するものである。図１６は、電子写真方式のタンデム型の画像形成装置４及びレンチキュラースクリーン１の搬送方向を示す模式図である。倍率調整用の第１のテストパターン画像γの生成、立体視画像またはチェンジ画像の印刷に関しては、実施例１、実施例２と同様であり、詳細説明は省略する。
【００４２】
画像形成装置４は、イエロー（Ｙ）、マゼンタ（Ｍ）、シアン（Ｃ）、ブラック（Ｂ）の各色のトナー像を坦持する感光体ドラム４１Ｙ、４１Ｍ、４１Ｃ、４１Ｂを有する。感光体ドラム４１Ｙ、４１Ｍ、４１Ｃ、４１Ｂに形成された画像は、中間転写ベルト４２上に転写されて合成される。合成画像は二次転写部４３に送られる。一方、レンチキュラースクリーン１はレジスト部のレジストニップ４４により二次転写部４３に送られ、二次転写部４３で中間転写ベルト４２上の合成画像がレンチキュラースクリーン１に転写される。そして、合成画像が転写されたレンチキュラースクリーン１は定着部４５に送られる。
【００４３】
図１７は、レンズ幅方向を副走査方向としたときの不具合を説明する図である。レンチキュラースクリーン１の後端がレジスト部を抜ける際に、レジストニップ４４によってレンズ後端が押し出される。このため、二次転写部４３における中間転写ベルト４２とレンチキュラースクリーン１との間に線速差が生じる。この線速差によって、局所的な転写位置ずれが発生する。１００[LPI]のレンチキュラースクリーン１で概ね０．３ｍｍ程度の厚さがあり、いわゆる厚紙に分類されるものであるため、より顕著に発生する。
【００４４】
ここで、画像形成時の主走査方向とは感光体ドラム４１Ｙ、４１Ｍ、４１Ｃ、４１Ｂに対する露光用レーザビームの１ラインの走査方向である。副走査方向とは感光体ドラム４１Ｙ、４１Ｍ、４１Ｃ、４１Ｂの表面の回転方向の線速度の方向であり、副走査方向は主走査方向に対して直角な方向である。
【００４５】
レンチキュラースクリーン１のレンズ幅方向を副走査方向とした場合、レンズ幅方向に局所的な倍率誤差が発生するため、立体視画像やチェンジ画像の品質は悪化する。レンズ幅方向を主走査方向とした場合、レンズ溝に平行な方向に局所的な倍率誤差が発生するが、レンズ幅方向では発生しないため、立体視画像やチェンジ画像の品質は悪化しない。よって、レンズ幅方向を主走査方向とする方が、搬送方向における転写位置ずれの影響を受けにくいため、立体視画像やチェンジ画像の品質は良好である。
【００４６】
以上のようにして、第１のテストパターン画像γに基づく最もモアレの少ないラインパターン画像βの倍率変更値により、レンチキュラーレンズ１１のレンズピッチに対して印刷画像（レンチキュラー画像）のピッチを合わせることができる。しかし、レンチキュラーレンズ１１とレンチキュラー画像（圧縮画像）とにスキュー（傾斜）が生することも考慮する必要がある。
【００４７】
次にレンチキュラーレンズ１１とレンチキュラー画像（圧縮画像）のスキューについて説明する。レンチキュラーレンズ１１と印刷されたレンチキュラー画像のピッチに誤差がない場合でも、レンチキュラーレンズ１１とレンチキュラー画像との間にスキューが生じていると、部分的に立体写真がきれいに見えないという問題がある。これについて以下に詳述する。
【００４８】
図１８は、レンズと圧縮画像との間にスキューが生じている場合におけるレンチキュラー画像の見え方を示すものである。図１８に示すように、レンチキュラースクリーンの上部では、右目に「２」の画像、左目に「３」の画像が見えており、これは正常なステレオペアの画像であるので、正常な立体視となる。しかし、スキューによるピッチ誤差が累積されたレンチキュラースクリーンの下部では、右目に「４」の画像、左目に「１」の画像が見えており、これは通常では起こりえないペアの画像となり、不自然な立体視（逆立体視）となる。このように、レンチキュラーレンズ１１と印刷されたレンチキュラー画像との間にスキューが生じている場合、立体視画像やチェンジ画像の印刷像の品質を著しく低下させる。このため、レンチキュラーレンズ１１と印刷画像との間のスキュー発生をできるだけ抑える必要がある。そのため、スキューが発生したかどうかを判別し、そのスキュー量を算出する必要がある。
【００４９】
そこで、前記図５に示す、黒、白のチェンジ画像に対して、前記のように最もモアレの少ないラインパターン画像βから該当する倍率変更値を算出する。そして、図１９に示すように、ラインパターン画像［Ａ］に対して、レンチキュラーレンズ１１への印刷後の圧縮画像がレンズピッチに合うように、レンズ溝方向に所定の倍率（前記の例ではでは０．０４％拡大）だけ変化させたラインパターン画像βを生成する。次に、図１９に示すように、この所定の倍率だけ変化させたラインパターン画像βをレンジ溝方向に延長し、印刷対象画像となる圧縮画像の外縁部の上下左右に配置して第２のテストパターン画像δとする。ここでは、印刷対象画像の立体視効果またはチェンジ効果とスキュー量を同時に把握するために、第２のテストパターン画像δを印刷対象画像の外縁部に配置している。しかし、印刷時のスキュー量を把握するのみの場合は、レンズ全体に第２のテストパターン画像δを配置しても良い。
【００５０】
図２０及び図２１は、図１９の第２のテストパターン画像δ（及び印刷対象画像となる圧縮画像）をレンチキュラースクリーン１に印刷してスキャンした画像の一例を示す図である。図２０はスキューがほぼ発生していない画像である。外縁部に配置された、レンズピッチの合う、黒、白のチェンジ画像（第２のテストパターン画像δ）が、黒か白ほぼ一色に見える場合、スキューがほぼ発生していないと判別できる。この画像では、部分的に黒が見えるものの、ほぼ白一色とみなせるため、スキューはほぼ発生していない。図２１はスキューが発生している画像である。外縁部に配置された、レンズピッチの合う、黒、白のチェンジ画像の第２のテストパターン画像δが、黒か白ほぼ一色に見えず、部分的に黒、白のモアレが発生している場合、スキューが発生していると判別できる。
【００５１】
次に、スキュー量に算出について説明する。図２１において、モアレ発生箇所における単色領域のうち、レンズ溝方向の長さをａ［mm］とする。画像領域のうち、レンズ溝方向の長さをＬ［mm］とする。レンズピッチをＸ[LPI]とする。図２１の外縁部は、図５に示す黒、白２つのチェンジ画像であるため、単色領域におけるレンズ幅方向の長さは、レンズピッチの半分、すなわち、
２５．４／Ｘ／２［mm］（１［インチ］＝２５．４［mm］）
である。図２１では、レンズ溝方向にａ[mm]移動する間に、白から黒に切り替わるので、レンズ溝方向ａ［mm］に対して、レンズ幅方向に
２５．４／Ｘ／２［mm］
ずれていることになる。
【００５２】
すなわち、画像領域におけるレンズ溝方向長さＬ［mm］に対して、
２５．４＊Ｌ／Ｘ／２／ａ［mm］ …（１）
だけずれていることになる。
このように、印刷対象画像の外縁部に、黒、白2つのチェンジ画像からなるパターン画像を印刷することで、上記方法で、スキュー量を算出することができる。
【００５３】
第２のテストパターン画像δについては、ユーザーあるいはサービスマンがコンピュータ上で作成してもよい。そして、コンピュータから作成した第２テストパターン画像δの印刷ジョブを流してレンチキュラーレンズ１に印刷すれば良い。印刷済み第２のテストパターン画像δについては、図２０、図２１に示したように、目視でチェンジ画像のモアレが発生していないか確認し、スキューが発生していないかどうか判別すれば良い。なお、パターン画像は黒、白のチェンジ画像に限らず、目視でモアレの有無を確認できるものであれば何でも良い。
【００５４】
上述のように、人がコンピュータ上で作成しても良いが、煩雑な場合は、実施例１と同様に、あらかじめ黒単色、白単色のチェンジ画像を単位パターン画像αとしてプリンタのメモリに保存しておいてもよい。そして、インターフェースを介して入力される、レンズピッチ（線数）、プリンタ解像度（印刷解像度）、ラインパターン画像の個数、画像サイズ、倍率変更増分値の各項目に応じて、上記第２のテストパターン画像δが生成されるようにしておけば良い。
【００５５】
（実施例４）実施例４の全体構成及び処理のフローチャートは前記図１１及び図１２に示す実施例１と図面上は同様であるが、処理の一部が異なる。すなわち、図１１に示す制御部２２のＲＯＭに記憶されたパターン画像生成プログラムの処理により、第２のテストパターンδを生成する点、図１２のステップＳ４で第２のテストパターンδを生成する点、以外は第１実施例と同様である。また、「画像形成手段」としてのプリンタ機能部２１により、ステップＳ５の処理で第２のテストパターンδが予めセットしたレンチキュラースクリーン１に印刷される。
【００５６】
すなわち、図１２のステップＳ１でレンチキュラー画像印刷モードが選択されたか判定する。レンチキュラー画像印刷モードでなければ、ステップＳ２で通常印刷処理を行って終了する。レンチキュラー画像印刷モードが選択されると、ステップＳ３で各種パラメータの入力を受け付け、ここで、レンズピッチ（線数）、プリンタ解像度（印刷解像度）、画像サイズ、倍率変更増分値の各項目のデータを入力する。これにより、ステップＳ４で上述の第２のテストパターン画像δが生成される。第２のテストパターン画像δは、ジョブ投入された印刷対象画像の外縁部に配置され、印刷対象画像と共に第２のテストパターン画像として、ステップＳ５で、予めセットしたレンチキュラーレンズ１に印刷される。
【００５７】
印刷済み第２のテストパターン画像δの中でスキューによる白黒のモアレ発生箇所を目視で探し、モアレ発生箇所における単色領域のうち、レンズ溝方向の長さａ［mm］を計測する。そして、前記の式（１）に従って、スキュー量を算出すればよい。実施例４では、電子写真方式のタンデム型の画像形成装置を用いる例を示したが、インクジェット等他の画像形成装置でも効果を発揮するものである。
【００５８】
（実施例５）実施例４では、目視で外縁部に配置されたパターン画像のモアレ箇所を探し、スキュー量を算出していたが、図２０、図２１に示したスキャン画像から自動でスキュー量を算出するようにしても良い。図２２は実施例５における画像形成装置の全体構成を示す図である。この実施例５では、スキャナ機能を搭載した複合機（ＭＦＰ）を想定しており、図１３に示す実施例２の構成に、モアレ判別プログラム、スキュー量算出プログラムが追加された構成となっている。実施例２と同様に、画像形成装置３はインターフェース３ａを介してコンピュータ１０と接続されている。また、実施例２と同様に、ＲＯＭに記憶された、白画像、黒画像及びパターン画像生成プログラムによって、レンズピッチ（線数）、プリンタ解像度、画像サイズ、倍率変更値に応じた、黒、白のチェンジ画像生成（第２のテストパターン画像δ）を生成する。
【００５９】
図２３は実施例５における制御部３２の処理に係るフローチャートである。第２のテストパターン画像δの印刷後、ユーザーあるいはサービスマンが、スキュー量算出モードを選択してスキャンが実行される。すなわち、ステップＳ３１でスキュー量算出モードが選択されたか判定する。スキュー量算出モードでなければ、ステップＳ３２で通常印刷処理を行って終了する。スキュー量算出モードが選択されると、ステップＳ３３で通常印刷処理を行って画像データ化する。次に、モアレ判定プログラムのステップＳ３４で、スキャンした画像データを、ある閾値に基づき黒、白の２階調の画素データ処理（２値化処理）を行う。そして、ステップＳ３５で、単色画像領域の長さａ［mm］の算出処理を行う。すなわち、図２４に示すモアレ判別領域において、画素値から、黒あるいは白とみなせるかの判別処理を行い、レンズ溝方向に同じ画素値となっている長さａ［mm］を算出する。つまり、モアレ幅を算出する。次に、スキュー量算出プログラムステップＳ３６で、前掲の式（１）の計算を実行し、スキュー量を算出する。
【００６０】
次に、ステップＳ３７で、スキュー量Ｓ＝２５．４／Ｘ／２であるかを判定し、スキュー量Ｓ＝２５．４／Ｘ／２であれば、ステップＳ３８でスキューなしのメッセージを出力する。すなわちスキュー量Ｓ＝２５．４／Ｘ／２の場合、実際のスキュー量は、２５．４／Ｘ／２以下（レンズ幅の半分以下）となる。この手法では、２５．４／Ｘ／２以下のスキュー量を判別できないため、第２レストパターン画像がレンチキュラーレンズに対して傾斜していないと判定する。画像領域では、不自然な立体視（逆視）はほぼ生じない量なので、スキューが発生していないと判定しても問題ない。一方、スキュー量Ｓ＝２５．４／Ｘ／２でなければ、スキューありと判定し、ステップＳ３９で、算出されたスキュー量をインターフェース画面表示する。このように構成とすることで、自動でスキューの判別、スキュー量の算出が可能となり、ユーザー、サービスマンの労力を減らし、ヒューマンエラーを防ぐことができる。以上のように、この実施例は、次式（２）が成り立つとき、スキューなしの判定を行うものである。
Ｓ＝２５．４／Ｘ／２…（２）
【００６１】
（実施例６）実施例６は、レンズ幅方向を主走査方向として、レンズと印刷画像の倍率調整を行うとともに、スキュー量算出を行い、立体視画像またはチェンジ画像を印刷するものである。実施例６の全体構成は、図１６に示す実施例３と同様な電子写真方式のタンデム型の画像形成装置である。倍率調整用の第１のテストパターン画像γの生成、スキュー量算出用の第２のテストパターン画像δの生成、立体視画像またはチェンジ画像の印刷に関しては、実施例３、実施例５と同様であり、詳細説明は省略する。この実施例６でも、レンチキュラースクリーン１のレンズ幅方向を主走査方向としているので、搬送方向における転写位置ずれの影響を受けにくいため、立体視画像やチェンジ画像の品質は良好であり、倍率調整、スキュー量算出も良好に行える。
【００６２】
以上のように、本実施形態では、レンチキュラーレンズのレンズ幅内で隣り合う視覚的に互いに異なる複数の圧縮画像から構成される単位パターン画像をレンズ幅方向に連鎖させてラインパターン画像をレンチキュラースクリーン上に形成する。すなわち、第１のテストパターン画像γ、あるいは第２のテストパターン画像δをレンチキュラーレンズ上に形成するものである。したがって、レンチキュラースクリーン上のテストパターン画像により、印刷画像のスキューの有無、倍率誤差の有無を容易に判別できる。
【００６３】
また、第１のテストパターン画像γは、ラインパターン画像βのレンズ幅方向の倍率をレンズ溝方向のラインパターン画像毎に所定の大きさずつ変更した複数のラインパターン画像βの集合からなる。したがって、レンズピッチと印刷画像間の倍率誤差算出が容易になる。第１のテストパターン画像γでも、モアレからスキュー量をを算出することができる。
【００６４】
また、第２のテストパターン画像δは、複数の圧縮画像のレンズ幅方向のピッチがレンチキュラースクリーンにおけるレンズピッチに合うラインパターン画像βをレンジ溝方向に延長させたものである。また、第２のテストパターン画像δはラインパターン画像を印刷対象画像の外縁部に配置したものである。したがって、印刷対象画像と同時にテストパターン画像の印刷ができ、スキューの有無の判別と印刷対象画像の品質確認を同時に行うことができる。
【００６５】
また、第１のテストパターン画像γ、第２のテストパターン画像δを構成するラインパターン画像βは、圧縮画像が白、黒２色の圧縮画像からなるラインパターン画像である。したがって、モアレの視認性が向上するため、スキューによって生じるピッチ誤差の判別、倍率誤差算出が容易になる。なお、黒、白の２色に限らず、モアレを判別できる程度に明度の差がある２色であれば他の色でもよい。
【００６６】
また、画像形成装置は、ラインパターン画像を生成する画像生成手段と、ラインパターン画像をレンチキュラースクリーン上に形成する画像形成手段とを備えている。したがって、レンチキュラー画像の印刷に用いる画像形成装置において、印刷画像のスキュー有無の判別、スキュー量算出あるいは倍率誤差算出が容易になる。
【００６７】
また、印刷解像度、レンチキュラーレンズの線数、原画像の画像サイズのいずれか一つの項目に応じていずれか一つの項目を変更可能にする変更手段を備えている。この変更手段は、テストパターン画像のサイズ、倍率変更する前記ラインパターン画像の個数、レンチキュラー画像を構成する圧縮画像のサイズ、倍率変更の増分値のいずれか一つの項目を変更可能にする。したがって、印刷解像度、レンチキュラーレンズ線数、画像サイズに応じて、適切なパターン画像を形成することができ、レンズと圧縮画像のピッチを合わせることができる。
【００６８】
また、テストパターン画像が形成されたレンチキュラースクリーンに光を照射し、反射された光を基に読み取りデータを出力するスキャナ手段を具備し、最もモアレの少ないラインパターン画像を識別して倍率変更値を算出する倍率誤差算出手段を具備している。したがって、印刷されたパターン画像の中で、最もモアレの少ないパターン画像を目視によって探す必要がなくなるので、ヒューマンエラーを抑制できる。
【００６９】
また、テストパターン画像は、黒単色と白単色の圧縮画像で構成され、倍率誤差算出手段は、倍率を変更した複数のラインパターン画像を生成した時に、ラインパターン画像の位置と倍率変更値のテーブルを記録する記録手段を備えている。また、スキャナ手段の読み取りデータ内のテストパターン画像に該当するそれぞれのラインパターン画像において、最も濃度の高いあるいは低いラインパターン画像を識別し、該識別したラインパターン画像の位置を算出する識別手段を備えている。さらに、識別手段によって算出されたラインパターン画像の位置に基づき、記録手段のテーブルを参照し、該当する倍率変更値を算出する倍率変更値算出手段を備えている。したがって、自動的に最もモアレの少ないパターン画像を識別でき、該当する倍率変更値を算出できる。
【００７０】
また、テストパターン画像が形成されたレンチキュラースクリーンに光を照射し、反射された光を基に読み取りデータを出力するスキャナ手段を具備している。また、読み取りデータ内の所定の複数箇所のパターン画像におけるレンズ溝方向のモアレ幅を算出するモアレ幅算出手段と、モアレ幅算出手段によって算出されたモアレ幅に基づきスキュー量を算出するスキュー量算出手段を備えている。したがって、印刷画像のスキュー量を自動で算出することができ、ユーザー、サービスマンの労力を減らし、ヒューマンエラーを抑制できる。
【００７１】
また、スキュー算出手段は、スキュー量をＳ[mm]、レンズ幅をＸ[LPI]、レンズ溝方向モアレ幅をａ[mm]としたとき、次式（１）によってスキュー量Ｓを算出している。
ＳＳ＝２５．４＊Ｌ／Ｘ／２／ａ…（１）
したがって、印刷画像のスキュー量を算出することができる
【００７２】
また、次式（２）が成り立つとき、スキューなしの判定を行うようにしている。
Ｓ＝２５．４／Ｘ／２…（２）
したがって、自動でスキュー有無の判別を行うことができ、ユーザー、サービスマンの労力を減らし、ヒューマンエラーを抑制できる。
【００７３】
なお、本発明は、上記実施形態に限定されるものではない。即ち、本発明の骨子を逸脱
しない範囲で種々変形して実施することができる。
【符号の説明】
【００７４】
１    レンチキュラースクリーン
１１  レンチキュラーレンズ
２    画像形成装置
３    画像形成装置
４    画像形成装置
α    単位パターン画像
β    ラインパターン画像
γ    第１のテストパターン画像
δ    第２のテストパターン画像
【先行技術文献】
【特許文献】
【００７５】
【特許文献１】特許第４２１５３４９号公報
【特許文献２】特許第４６６１５３３号公報
【特許文献３】特許第４４９７５９８号公報
【図１】
2014134758.tif 000003
【図２】
2014134758.tif 000004
【図３】
2014134758.tif 000005
【図４】
2014134758.tif 000006
【図５】
2014134758.tif 000007
【図６】
2014134758.tif 000008
【図７】
2014134758.tif 000009
【図８】
2014134758.tif 000010
【図９】
2014134758.tif 000011
【図１０】
2014134758.tif 000012
【図１１】
2014134758.tif 000013
【図１２】
2014134758.tif 000014
【図１３】
2014134758.tif 000015
【図１４】
2014134758.tif 000016
【図１５】
2014134758.tif 000017
【図１６】
2014134758.tif 000018
【図１７】
2014134758.tif 000019
【図１８】
2014134758.tif 000020
【図１９】
2014134758.tif 000021
【図２０】
2014134758.tif 000022
【図２１】
2014134758.tif 000023
【図２２】
2014134758.tif 000024
【図２３】
2014134758.tif 000025
【図２４】
2014134758.tif 000026